(57)【要約】【課題】適正に画像を表示することができる表示装置を提供することを目的とする。【解決手段】表示装置１は、画像を表示する表示部２と、表示部２を制御し、画像を移動させて表示させる際に、当該画像が静止している状態で当該画像を構成する各画素の表示色の赤、緑、及び青の色成分を示す各ＲＧＢ値の各色成分値に対して、表示色ごとに各色成分値に共通で予め設定されたＲＧＢ補正値をそれぞれ加算した各補正後ＲＧＢ値で定まる表示色で、当該移動させる画像を構成する各画素を表示させる移動時補正処理を実行可能である制御部３とを備えることを特徴とする。【選択図】図１
2018063381.tif 000002
【特許請求の範囲】
【請求項１】
画像を表示する表示部と、
前記表示部を制御し、前記画像を移動させて表示させる際に、当該画像が静止している状態で当該画像を構成する各画素の表示色の赤、緑、及び青の色成分を示す各ＲＧＢ値の各色成分値に対して、前記表示色ごとに前記各色成分値に共通で予め設定されたＲＧＢ補正値をそれぞれ加算した各補正後ＲＧＢ値で定まる表示色で、当該移動させる画像を構成する各画素を表示させる移動時補正処理を実行可能である制御部とを備えることを特徴とする、
表示装置。
【請求項２】
前記移動時補正処理は、前記移動させる画像を構成する各画素を前記補正後ＲＧＢ値で定まる表示色で表示させることで、前記画像が静止している状態の当該画像の輝度に対する前記画像を移動させて表示させる際の当該画像の輝度の落ち込みを抑制する処理であり、
前記ＲＧＢ補正値は、前記画像が静止している状態の当該画像の輝度に対する前記画像を移動させて表示させる際の当該画像の輝度の落ち込みを抑制する値に設定される、
請求項１に記載の表示装置。
【請求項３】
前記ＲＧＢ補正値は、前記画像の移動方向に沿った当該画像の長さが相対的に短い領域を構成する画素の前記表示色に対する値が相対的に大きく設定され、前記画像の移動方向に沿った当該画像の長さが相対的に長い領域を構成する画素の前記表示色に対する値が相対的に小さく設定される、
請求項１又は請求項２に記載の表示装置。
【発明の詳細な説明】
【技術分野】
【０００１】
本発明は、表示装置に関する。
【背景技術】
【０００２】
車両に適用される従来の表示装置として、例えば、特許文献１には、液晶パネルの画面上に文字板、及び、指針を表示させる液晶表示メータであって、指針の移動速度に応じて指針の表示濃度を低下させる液晶表示メータが開示されている。  
【先行技術文献】
【特許文献】
【０００３】
【特許文献１】特開２００７−１７８１７９号公報
【発明の概要】
【発明が解決しようとする課題】
【０００４】
ところで、上述の特許文献１に記載の液晶表示メータは、例えば、静止した状態で表示されている画像を任意の方向に移動させて表示させる場合があるが、このような場合にも違和感なく適正に画像を表示することが望まれている。
【０００５】
本発明は、上記の事情に鑑みてなされたものであって、適正に画像を表示することができる表示装置を提供することを目的とする。
【課題を解決するための手段】
【０００６】
上記目的を達成するために、本発明に係る表示装置は、画像を表示する表示部と、前記表示部を制御し、前記画像を移動させて表示させる際に、当該画像が静止している状態で当該画像を構成する各画素の表示色の赤、緑、及び青の色成分を示す各ＲＧＢ値の各色成分値に対して、前記表示色ごとに前記各色成分値に共通で予め設定されたＲＧＢ補正値をそれぞれ加算した各補正後ＲＧＢ値で定まる表示色で、当該移動させる画像を構成する各画素を表示させる移動時補正処理を実行可能である制御部とを備えることを特徴とする。
【０００７】
また、上記表示装置では、前記移動時補正処理は、前記移動させる画像を構成する各画素を前記補正後ＲＧＢ値で定まる表示色で表示させることで、前記画像が静止している状態の当該画像の輝度に対する前記画像を移動させて表示させる際の当該画像の輝度の落ち込みを抑制する処理であり、前記ＲＧＢ補正値は、前記画像が静止している状態の当該画像の輝度に対する前記画像を移動させて表示させる際の当該画像の輝度の落ち込みを抑制する値に設定されるものとすることができる。
【０００８】
また、上記表示装置では、前記ＲＧＢ補正値は、前記画像の移動方向に沿った当該画像の長さが相対的に短い領域を構成する画素の前記表示色に対する値が相対的に大きく設定され、前記画像の移動方向に沿った当該画像の長さが相対的に長い領域を構成する画素の前記表示色に対する値が相対的に小さく設定されるものとすることができる。
【発明の効果】
【０００９】
本発明に係る表示装置は、制御部が表示部に表示された画像を移動させて表示させる際に、当該表示部を制御し移動時補正処理を実行することで、画像が静止している状態で当該画像を構成する各画素の表示色を示す各ＲＧＢ値の各色成分値に対して、ＲＧＢ補正値をそれぞれ加算した各補正後ＲＧＢ値で定まる表示色で、当該移動させる画像を構成する各画素を表示させる。これにより、表示装置は、静止した状態で表示されている画像を移動させる際に当該移動させる画像を構成する各画素の各表示色の色味を変えずに相対的に明るくすることができるので、画像が静止している状態の当該画像の輝度に対する画像を移動させて表示させる際の当該画像の見た目の輝度の落ち込みを抑制することができる。この結果、表示装置は、静止した状態で表示されている画像を移動させて表示する場合であっても、画像の見た目の輝度の落ち込みを抑制することができるので、違和感を抑制して適正に画像を表示することができる、という効果を奏する。
【図面の簡単な説明】
【００１０】
【図１】図１は、実施形態に係る表示装置の概略構成を示すブロック図である。
【図２】図２は、実施形態に係る表示装置における画像の移動について説明する模式図である。
【図３】図３は、画像が静止している状態の当該画像の輝度に対する画像を移動させて表示させる際の当該画像の輝度の落ち込みについて説明する模式図である。
【図４】図４は、画像が静止している状態の当該画像の輝度に対する画像を移動させて表示させる際の当該画像の輝度の落ち込みについて説明する模式図である。
【図５】図５は、画像が静止している状態の当該画像の輝度に対する画像を移動させて表示させる際の当該画像の輝度の落ち込みについて説明する模式図である。
【図６】図６は、画像が静止している状態の当該画像の輝度に対する画像を移動させて表示させる際の当該画像の輝度の落ち込みについて説明する模式図である。
【図７】図７は、画像の移動フェーズに応じた表示色の変化の一例を説明する線図である。
【図８】図８は、画像の移動フェーズに応じた表示色の変化の一例を説明する線図である。
【図９】図９は、実施形態に係る表示装置における表示制御の一例を表すフローチャート図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態］
図１に示す本実施形態に係る表示装置１は、例えば、車両に適用され、当該車両に適用される車載メータの一部を構成する。表示装置１は、車両のダッシュボードに設けられたインストルメントパネル等に搭載され、車両の運転に供される情報として当該車両に関する種々の車両情報を表示する。
【００１３】
具体的には、表示装置１は、図１に示すように、表示部２と、制御部３とを備える。
【００１４】
表示部２は、複数の画素によって構成された画像表示面２ａ上に画像を表示するものである。本実施形態の表示部２は、上述したように、車両に搭載され、車両の車両情報に関する画像を表示する。表示部２に表示される車両情報に関する画像としては、例えば、車両の速度、積算走行距離、冷却水温、走行用動力源の出力回転数、燃料残量、バッテリ蓄電量、ナビゲーション情報、地図情報、交差点情報等、車両の運転に際して時々刻々と変化する様々な情報に関する画像が含まれてもよい。さらに、表示部２に表示される車両情報に関する画像としては、各種の警告灯（ウォーニングランプ、いわゆるテルテール）、シフトポジションインジケータ、方向指示記号等の車両情報に応じた種々の図柄、記号、文字列等の画像が含まれてもよい。また、表示部２に表示される車両情報に関する画像としては、車両に関する種々の計測値を指し示す指針、当該指針によって指し示される目盛等の指標部の画像が含まれてもよい。
【００１５】
表示部２は、例えば、薄膜トランジスタ（ＴＦＴ：Ｔｈｉｎ  Ｆｉｌｍ  Ｔｒａｎｓｉｓｔｏｒ）を用いた液晶ディスプレイ（液晶パネル）を用いることができるが、これに限らず、プラズマディスプレイ、有機ＥＬディスプレイ等を用いることもできる。表示部２の画像表示面２ａは、多数の画素（ピクセル）が規則的に配列されて構成される。画素は、色情報（色調や階調）を持つ最小単位、最小要素であり、１つの赤色副画素と１つの緑色副画素と１つの青色副画素とによって１つの画素が構成される。画像表示面２ａに表示される画像を構成する各画素の表示色は、当該表示色の赤、緑、及び青の色成分を示すＲＧＢ（Ｒｅｄ、Ｇｒｅｅｎ、Ｂｌｕｅ）値によって表すことができる。赤、緑、及び青は、光の３原色であり、Ｒは赤色、Ｇは緑色、Ｂは青色である。これらＲＧＢ３色の組み合わせにより、様々な色を表現できる。ＲＧＢ値は、赤色成分を示す色成分値であるＲ値、緑色成分を示す色成分値であるＧ値、及び青色成分を示す色成分値であるＢ値の順に、０〜２５５の数値で表記される。例えば、黒色を示すＲＧＢ値は、ＲＧＢ値（０、０、０）であり、白色を示すＲＧＢ値は、ＲＧＢ値（２５５、２５５、２５５）である。また、例えば、赤色は、（Ｒ、Ｇ、Ｂ）＝（１〜２５５、０、０）等と定義でき、同じ赤色であっても、０〜２５５の階調調整を行うことで、例えば、（Ｒ、Ｇ、Ｂ）＝（１０、０、０）で定まる赤色は、（Ｒ、Ｇ、Ｂ）＝（２５５、０、０）で定まる赤色よりも濃い（暗い）赤色と定義できる。表示部２は、ＲＧＢ値に基づいて各画素の赤色副画素、緑色副画素、青色副画素の出力が調整されることで各画素が当該ＲＧＢ値で定まる表示色で表示される。
【００１６】
制御部３は、表示部２を制御し当該表示部２による表示を制御するものである。典型的には、制御部３は、表示部２が表示する画像を制御する。制御部３は、例えば、車両の各部を統括的に制御するＥＣＵ（Ｅｌｅｃｔｒｏｎｉｃ  Ｃｏｎｔｒｏｌ  Ｕｎｉｔ）によって兼用されて構成されてもよいし、当該ＥＣＵとは別個に構成され、相互に検出信号や駆動信号、制御指令等の情報の授受を行う構成であってもよい。制御部３は、ＣＰＵ、ＲＯＭ、ＲＡＭ及びインターフェースを含む周知のマイクロコンピュータを主体とする電子回路を含んで構成される。制御部３は、車両の状態を検出する種々のセンサ、検出器類が電気的に接続され、検出結果に対応した電気信号が入力される。制御部３は、表示部２に電気的に接続され、当該表示部２に駆動信号を出力する。制御部３は、各種センサ、検出器類等から入力された各種入力信号等に基づいて、ＲＯＭ、ＲＡＭ等に格納されている制御プログラムを実行することにより、表示部２に駆動信号を出力し当該表示部２が表示する画像を制御するための種々の処理を実行する。
【００１７】
制御部３は、例えば、図２に示すように、ＥＣＵ等の上位機器からの制御指令に基づいて表示部２を制御し、画像表示面２ａに静止した状態で表示されている画像（ここでは回転計（タコメータ）を表す画像）を任意の方向（ここでは向かって右方向）に移動させて表示させる処理を実行可能である。そして、本実施形態の制御部３は、画像表示面２ａに静止した状態で表示されている画像を移動させて表示させる際に、表示部２を制御し移動時補正処理を実行することで、静止した状態で表示されている画像を移動させて表示する場合であっても、視覚的な違和感を抑制し適正に画像を表示することができるようにしている。
【００１８】
ここで、例えば、表示部２は、画像表示面２ａに静止した状態で表示されている画像を任意の方向に移動させて表示させる際に、移動時補正処理を行わない場合、画像が静止している状態の当該画像の輝度に対する画像を移動させて表示させる際の当該画像の輝度が低下したように見えるおそれがある。例えば、図３、図４、図５、図６に示すように、白い十字の図形の画像を向かって右方向に移動させて表示させる場合を例にして、画像が静止している状態の当該画像の輝度に対する画像を移動させて表示させる際の当該画像の輝度の落ち込みについて説明する。図７、図８は、画像の移動フェーズに応じた表示色の変化の一例を表しており、横軸を時間軸（フェーズ）とし、縦軸を表示色変化、ここでは、最小輝度（黒表示）から最大輝度（白表示）への変化の割合としている（完全に白色に変化した状態を１００％としている。）。表示部２は、薄膜トランジスタを用いた液晶ディスプレイにおける各画素の出力応答速度等の特性に起因して、制御部３から表示部２に指定のＲＧＢ値に応じたＲＧＢ信号を出力してから、実際に各画素が指定されたＲＧＢ値で定まる表示色に切り替わるまでには、上記出力応答速度等に応じた若干のタイムラグ（例えば、数Ｖ−Ｓｙｎｃ相当の時間）が発生する。このタイムラグは、表示部２の仕様や切り替え前後の表示色等に応じて変動する傾向にある。そして、表示部２は、画素における表示色の切り替わりが完了する前に、当該画素の表示色が次の表示色に切り替わる場合、瞬間的に、表示色が指定されたＲＧＢ値に応じて最終的に要求される表示色とは異なる状態が発生するおそれがある。この様な現象の結果、表示部２に移動させて表示される画像は、例えば、画像の移動に伴って当該移動する画像を構成する各画素の表示色を「白→黒」や「黒→白」に切り替える場合には、切り替えの完了までの間に「灰色」に見える期間が発生し、各画素における見た目の輝度が落ち込んだように見える期間が発生するおそれがある。例えば、図３に示す画素ａは、画像が図３に示すフェーズ１の状態から右方向に移動し図４に示すフェーズ２の状態、図５に示すフェーズ３の状態、図６に示すフェーズ４の状態のように段階的に移動していくと、図７に示すように黒色から白色に切り替わろうとする過程で灰色になり、完全に白色に切り替わる前に再び黒色への切り替わりが開始されることで、白色への切り替わりが完了しないまま再び黒色となってしまい、見た目の輝度が落ち込んで見える状態となる。一方、図３に示す画素ｂは、画像が図３に示すフェーズ１の状態から右方向に移動し図４に示すフェーズ２の状態、図５に示すフェーズ３の状態、図６に示すフェーズ４の状態のように段階的に移動していくと、図８に示すように黒色から白色に切り替わろうとする過程で灰色になりフェーズ２、フェーズ３では黒色から白色への切り替わりが完了していないものの、その後の表示色も白色であるので、そのまま変化し続けフェーズ４の終了時には白色への切り替わりが完了する。このように、画像が静止している状態の当該画像の輝度に対する画像を移動させて表示させる際の当該画像の輝度の落ち込みは、画像の移動方向に沿った当該画像の長さが相対的に短い領域と画像の移動方向に沿った当該画像の長さが相対的に長い領域とで、落ち込みの程度に差こそあれ、少なからず発生するおそれがある。
【００１９】
これに対して、本実施形態の制御部３は、画像表示面２ａに静止した状態で表示されている画像を移動させて表示させる際に、予め設定されたＲＧＢ補正値に基づいて各画素のＲＧＢ値を補正する移動時補正処理を実行することで、画像が静止している状態の当該画像の輝度に対する画像を移動させて表示させる際の当該画像の輝度の落ち込みを抑制し視覚的な違和感を抑制している。
【００２０】
具体的には、制御部３は、表示部２を制御し、画像を移動させて表示させる際に、移動時補正処理を実行可能である。移動時補正処理とは、当該画像が静止している状態で当該画像を構成する各画素の表示色の赤、緑、及び青の色成分を示す各ＲＧＢ値の各色成分値に対して、ＲＧＢ補正値をそれぞれ加算した各補正後ＲＧＢ値で定まる表示色で、当該移動させる画像を構成する各画素を表示させる処理である。さらに言えば、移動時補正処理は、移動させる画像を構成する各画素を補正後ＲＧＢ値で定まる表示色で表示させることで、画像が静止している状態の当該画像の輝度に対する画像を移動させて表示させる際の当該画像の輝度の落ち込みを抑制する処理である。この移動時補正処理に用いられるＲＧＢ補正値は、移動させる画像で想定される表示色ごとに各色成分値に共通で予め設定された値である。制御部３は、一例として、図１に示すように、機能概念的に、記憶部３１、補正部３２、及び、表示制御部３３を含んで構成される。記憶部３１、補正部３２、及び、表示制御部３３は、電気的に接続されている各種装置との間で種々の情報を授受することができる。
【００２１】
記憶部３１は、メモリ等の記憶装置であり、制御部３での各種処理に必要な条件やデータ、制御部３で実行する各種プログラム等が格納されている。記憶部３１は、表示部２で表示させる画像を表す画像データ（画像が静止している状態での各画素の表示色を表すＲＧＢ値等を含む。）等も記憶している。そして、本実施形態の記憶部３１は、移動時補正処理に用いられるＲＧＢ補正値を予め記憶している。ＲＧＢ補正値は、画像表示面２ａに表示される画像を構成する各画素で想定される表示色ごとに各色成分値に共通で予め設定される。ＲＧＢ補正値は、典型的には、画像が静止している状態の当該画像の輝度に対する画像を移動させて表示させる際の当該画像の輝度の落ち込みを抑制する値に設定される。ＲＧＢ補正値は、例えば、上述したように、移動させる画像の移動方向に沿った長さに応じて画像の輝度の落ち込みの程度に差があることを踏まえて、画像の移動方向に沿った当該画像の長さが相対的に短い領域を構成する画素の表示色に対する値が相対的に大きく設定され、画像の移動方向に沿った当該画像の長さが相対的に長い領域を構成する画素の表示色に対する値が相対的に小さく設定されてもよい。また、ＲＧＢ補正値は、移動させる画像を構成する各画素の表示色、移動させる画像の背景画像を構成する各画素の表示色、言い換えれば、各画素の切り替え前後の表示色等に応じて適宜設定されてもよい。ここでは、ＲＧＢ補正値は、例えば、画像が静止している状態の当該画像の輝度と画像を移動させて表示させる際の当該画像の輝度との差、画像の移動方向に沿った長さに応じた輝度の落ち込みの程度差、移動させる画像を構成する各画素の表示色、移動させる画像の背景画像を構成する各画素の表示色、各画素の切り替え前後の表示色等を踏まえて、実機評価等に応じて実際に人の目で見て確認しながら違和感のない画像が得られるように予め設定されてもよいし、輝度計等で実際に輝度を実測しながら予め設定されてもよい。
【００２２】
補正部３２は、補正後ＲＧＢ値を算出する部分である。補正部３２は、移動させる画像が静止している状態で当該画像を構成する各画素の表示色の各ＲＧＢ値の各色成分値に対して、記憶部３１に記憶されている各ＲＧＢ補正値をそれぞれ加算した各補正後ＲＧＢ値を算出する。補正部３２は、記憶部３１に記憶されている、画像が静止している状態での各画素の表示色を表すＲＧＢ値、及び、ＲＧＢ補正値に基づいて補正後ＲＧＢ値を算出する。補正部３２は、算出した各補正後ＲＧＢ値を記憶部３１に一時的に記憶させてもよい。
【００２３】
表示制御部３３は、表示部２を制御し当該表示部２で表示させる画像を制御する部分である。本実施形態の表示制御部３３は、補正部３２によって算出された補正後ＲＧＢ値に基づいて表示部２を制御し移動時補正処理を実行する。すなわち、表示制御部３３は、補正部３２によって算出された各補正後ＲＧＢ値で定まる表示色で、移動させる画像を構成する各画素を表示させる。
【００２４】
次に、図９のフローチャートを参照して制御部３による表示部２の表示制御の一例を説明する。なお、これらの制御ルーチンは、数ｍｓないし数十ｍｓ毎の制御周期（クロック単位）で繰り返し実行される。  
【００２５】
まず、制御部３の表示制御部３３は、表示部２に静止した状態で表示している画像を移動させるか否かを判定する（ステップＳＴ１）。表示制御部３３は、例えば、ＥＣＵ等の上位機器からの制御指令に基づいて画像を移動させるか否かを判定する。
【００２６】
表示制御部３３は、表示部２に静止した状態で表示している画像を移動させると判定した場合（ステップＳＴ１：Ｙｅｓ）、補正部３２によって算出された補正後ＲＧＢ値に基づいて表示部２を制御し移動時補正処理を実行して画像を表示させ（ステップＳＴ２）、現在の制御周期を終了し、次の制御周期に移行する。この場合、制御部３の補正部３２は、記憶部３１に記憶されている、画像が静止している状態での各画素の表示色を表すＲＧＢ値、及び、ＲＧＢ補正値に基づいて補正後ＲＧＢ値を算出する。そして、表示制御部３３は、補正部３２によって算出された補正後ＲＧＢ値に基づいて当該補正後ＲＧＢ値で定まる表示色で、移動させる画像を構成する各画素を表示させる。
【００２７】
表示制御部３３は、表示部２に静止した状態で表示している画像を移動させないと判定した場合（ステップＳＴ１：Ｎｏ）、すなわち、当該画像をそのまま静止した状態で維持すると判定した場合、記憶部３１に記憶されている、画像が静止している状態での各画素の表示色を表すＲＧＢ値に基づいて画像を表示させ（ステップＳＴ３）、現在の制御周期を終了し、次の制御周期に移行する。
【００２８】
以上で説明した表示装置１は、制御部３が表示部２に表示された画像を移動させて表示させる際に、当該表示部２を制御し移動時補正処理を実行することで、画像が静止している状態で当該画像を構成する各画素の表示色を示す各ＲＧＢ値の各色成分値に対して、各色成分値に共通のＲＧＢ補正値をそれぞれ加算した各補正後ＲＧＢ値で定まる表示色で、当該移動させる画像を構成する各画素を表示させる。これにより、表示装置１は、静止した状態で表示されている画像を移動させる際に当該移動させる画像を構成する各画素の各表示色の色味を変えずに相対的に明るくすることができるので、画像が静止している状態の当該画像の輝度に対する画像を移動させて表示させる際の当該画像の見た目の輝度の落ち込みを抑制することができる。この結果、表示装置１は、静止した状態で表示されている画像を移動させて表示する場合であっても、画像の見た目の輝度の落ち込みを抑制することができるので、違和感を抑制して適正に画像を表示することができる。
【００２９】
より詳細には、以上で説明した表示装置１は、ＲＧＢ補正値が、画像が静止している状態の当該画像の輝度に対する画像を移動させて表示させる際の当該画像の輝度の落ち込みを抑制する値に設定されるので、上記のように移動させる画像の見た目の輝度の落ち込みを抑制することができ、適正に画像を表示することができる。
【００３０】
また、以上で説明した表示装置１は、ＲＧＢ補正値が、画像の移動方向に沿った当該画像の長さが相対的に短い領域を構成する画素の表示色に対する値が相対的に大きく設定され、画像の移動方向に沿った当該画像の長さが相対的に長い領域を構成する画素の表示色に対する値が相対的に小さく設定されることで、画像の移動方向に沿った長さに応じた輝度の落ち込みの程度差を踏まえて画像の見た目の輝度の落ち込みをより適正に抑制することができ、例えば、画像の領域に応じて見た目の輝度にムラが発生することを抑制することができる。
【００３１】
なお、上述した本発明の実施形態に係る表示装置は、上述した実施形態に限定されず、特許請求の範囲に記載された範囲で種々の変更が可能である。
【００３２】
以上で説明した表示装置１は、例えば、車両に適用され、当該車両に適用される車載メータの一部を構成するものとして説明したがこれに限らない。表示装置１は、ナビゲーションシステムに適用され当該ナビゲーションシステムの一部を構成するものであってもよいし、車両以外のものに適用されてもよい。
【００３３】
以上で説明した制御部３は、記憶部３１がＲＧＢ補正値を記憶し、補正部３２が当該記憶部３１に記憶されたＲＧＢ補正値に基づいて補正後ＲＧＢ値を算出し、表示制御部３３が当該補正部３２によって算出された補正後ＲＧＢ値に基づいて表示部２を制御し移動時補正処理を実行するものとして説明したがこれに限らない。制御部３は、記憶部３１がＲＧＢ補正値に基づいて予め算出された補正後ＲＧＢ値を記憶し、表示制御部３３が当該記憶部３１に予め記憶された補正後ＲＧＢ値に基づいて表示部２を制御し移動時補正処理を実行するようにしてもよい。
【符号の説明】
【００３４】
１    表示装置
２    表示部
３    制御部
【図１】
2018063381.tif 000003
【図２】
2018063381.tif 000004
【図３】
2018063381.tif 000005
【図４】
2018063381.tif 000006
【図５】
2018063381.tif 000007
【図６】
2018063381.tif 000008
【図７】
2018063381.tif 000009
【図８】
2018063381.tif 000010
【図９】
2018063381.tif 000011